(57)【要約】【課題】  設置面に画像を投射することができ操作性に優れたプロジェクタを提供する。【解決手段】  光源３２から射出される光により表示部３６に表示された投射画像を読み出し投射する投射部４８と、操作者の位置する方向を判定する操作者方向判定部５４と、前記操作者方向判定部による判定結果に応じて前記投射画像の前記表示部に対する表示方向を設定する表示方向設定部５２とを備える。【選択図】  図３
2010122586.tif 000002
【特許請求の範囲】
【請求項１】
光源から射出される光により表示部に表示された投射画像を読み出し投射する投射部と、
操作者の位置する方向を判定する操作者方向判定部と、
前記操作者方向判定部による判定結果に応じて前記投射画像の前記表示部に対する表示方向を設定する表示方向設定部と
を備えることを特徴とするプロジェクタ。
【請求項２】
投影面において投射方向に沿った方向が長辺、交差する方向が短辺である矩形となる前記投射画像を投射するように前記表示部に前記投射画像を表示する表示制御部を備えることを特徴とする請求項１記載のプロジェクタ。
【請求項３】
リモコンにより送信された信号を受信する複数のリモコン受信部を更に備え、
前記操作者方向判定部は、前記信号を受信した前記リモコン受信部が設けられた位置に基づいて前記操作者の位置する前記方向を判定することを特徴とする請求項１または２記載のプロジェクタ。
【請求項４】
前記操作者による指示を受け付ける複数の操作部を更に備え、
前記操作者方向判定部は、前記指示を受け付けた前記操作部が設けられた位置に基づいて前記操作者の位置する前記方向を判定することを特徴とする請求項１または２記載のプロジェクタ。
【請求項５】
前記設置面への接触を検出する複数の設置検出部を更に備え、
前記操作者判定部は、前記設置検出部により接触が検出された順序に基づいて前記操作者の位置する前記方向を判定することを特徴とする請求項１または２記載のプロジェクタ。
【請求項６】
前記表示方向設定部は、前記表示方向を前記操作者が視認し易い前記投射画像を投射するための第１表示方向と、前記操作者が位置する方向とは逆方向から視認し易い前記投射画像を投射するための第２表示方向とを切替可能に設定することを特徴とする請求項１〜５の何れか一項に記載のプロジェクタ。
【発明の詳細な説明】
【技術分野】
【０００１】
本発明は、プロジェクタに関するものである。
【背景技術】
【０００２】
机等の設置面に画像を投射するプロジェクタが知られている（例えば、特許文献１参照）。このプロジェクタにおいては、観察者は、投射方向に対して垂直方向の位置から設置面に投射された画像を視ることができる。
【特許文献１】特開２００３−２８００９１号公報
【発明の開示】
【発明が解決しようとする課題】
【０００３】
しかし、このプロジェクタにおいては設置面に画像を投射するにあたって投射画像の表示方向を入力キーにより設定しなければならず、設置面に投射された画像を視る際の操作に手間がかかった。
【０００４】
本発明の目的は、設置面に画像を投射することができ操作性に優れたプロジェクタを提供することである。
【課題を解決するための手段】
【０００５】
本発明のプロジェクタは、光源から射出される光により表示部に表示された投射画像を読み出し投射する投射部と、操作者の位置する方向を判定する操作者方向判定部と、前記操作者方向判定部による判定結果に応じて前記投射画像の前記表示部に対する表示方向を設定する表示方向設定部とを備えることを特徴とする。
【発明の効果】
【０００６】
本発明のプロジェクタによれば、設置面に画像を投射することができ優れた操作性を有する。
【発明を実施するための最良の形態】
【０００７】
以下、図面を参照して本発明の第１の実施の形態に係るプロジェクタについて説明する。図１は、第１の実施の形態に係るプロジェクタの前面を示す斜視図である。プロジェクタ２はリモコン６により操作可能に構成されている。また、プロジェクタ２は、金属やプラスチックからなる筐体８を備え、筐体８の前面には、筐体８に内蔵された投射ユニット２８（図２参照）の投射窓１０が設けられている。また、筐体８の上面には、電源ボタン１２、正面から見て右面にはリモコンから発信された赤外線等による信号を受信する受信部１４Ｒ、左面には受信部１４Ｌが設けられている。なお、筐体８の側面には各種入力端子や冷却風の通気口等が設けられている。
【０００８】
リモコン６は、筐体８に設けられた受信部１４Ｌ，１４Ｒに指示信号を送信する送信部１６、電源ボタン１８、投射の開始するための投射開始ボタン２０、投射を終了するための投射終了ボタン２２、投射される画像の表示方向を切り替えるための表示方向切替ボタン２４、投射される画像の切り替えるための投射画像切替ボタン２６を備えている。
【０００９】
図２は、第１の実施の形態に係る投射ユニットの構成を示す図である。投射ユニット２８は光源であるＬＥＤ（発光ダイオード）３０、ＬＥＤ３０から射出された光を略平行とするための集光レンズ３２、入射した光をＰ偏光成分の光とＳ偏光成分の光とに分離する偏光ビームスプリッタ３４、投射ユニット２８により投射する投射画像を表示するＬＣＯＳ（反射型液晶素子）３６、投射画像を投射するための投射レンズ３８及び投射レンズ３８から射出された光学像の投影方向を偏向させるためのミラー４０を備えている。なお、偏光ビームスプリッタ３４の図２における右面３４ａには、黒色処理等の無反射処理が施されている。
【００１０】
また、ミラー４０は投影面に投射される画像に対して台形補正を施すことができるように、所定の曲率を有する曲面ミラーから構成されている。また、後述するように本実施の形態に係るプロジェクタ２においては、プロジェクタ２を水平面上に設置したときに、投射窓１０から水平面までの画像の投射距離が一義的に定まるため、当該投射距離だけ離れた位置において鮮明な画像を結像できるように投射ユニット２８を構成する光学部材を所定の位置にあらかじめ固定しておくことができる。
【００１１】
図３は、第１の実施の形態に係るプロジェクタのシステム構成を示すブロック図である。プロジェクタ２はＣＰＵ４２を備え、ＣＰＵ４２には、電源ボタン１２、受信部１４Ｌ，１４Ｒ、投射画像や投射画像の初期表示方向等のデータを記憶する記憶部４６、記憶部４６に記憶された画像や種々のデータを投射する投射ユニット２８を構成する投射部４８、投射部４８により投射される画像の画像データに対して補正を行う画像処理部５０、投射部４８により投射される画像の表示方向を設定する表示方向設定部５２、リモコン６から送信された信号を受信した方向を判定する操作者方向判定部５４が接続されている。
【００１２】
ここで、投射部４８は、光源であるＬＥＤ３２の点灯及び消灯を行う電源制御部５６、投影する画像を表示するＬＣＯＳ３６の表示制御を行う表示制御部５８を備えている。
【００１３】
図４は、第１の実施の形態に係るプロジェクタの画像の投射を示す図である。図４に示すように、プロジェクタ２は、筐体８の上面に対向する面である下面が水平面Ｇに接するように直立して設置されている。プロジェクタ２において、リモコン６により送信された投射開始指示を受信すると、操作者方向判定部５４は受信部１４Ｌ，１４Ｒのうち、何れの受信部で受信したかを判定する。例えば、操作者方向判定部５４により受信部１４Ｌにおいて投射開始指示を受信したと判定した場合には、この判定結果に基づいて表示方向設定部５２において表示方向を設定する。ＣＰＵ４２は、記憶部４６から投射する画像の画像データとして、横長の画像である画像Ｐの画像データを読み出して設定された表示方向に応じてＬＣＯＳ３６に表示する。従って、筐体８の前面に設けられた投射窓１０から水平面Ｇ上に投射された投射画像Ｐは、図４に示すようにＬ方向から見やすいものとなる。ここで、水平面Ｇ上に投射される投射画像Ｐは、投射方向に対して略水平方向が長辺、略垂直方向が短辺である矩形形状となる。なお、水平面Ｇは机の表面等の水平あるいは略水平な面であり、投射窓１０から水平面Ｇに対して斜め下方向に投射画像Ｐが投射される。
【００１４】
一方、操作者方向判定部５４により受信部１４Ｒにおいて投射開始指示を受信したと判定した場合には、この判定結果に基づいて表示方向設定部５２において表示方向を設定し、設定された表示方向に応じて記憶部４６から読み出した画像をＬＣＯＳ３０に表示する。従って、この場合に水平面Ｇに投射された投射画像Ｐは、図５に示すようにＲ方向から視やすいものとなる。
【００１５】
なお、筐体８の下面は、筐体８を設置する際に使用する設置面として機能すると共に、筐体８の前面に設けられた投射窓１０から投射画像Ｐの投影面である水平面Ｇまでの距離を規定する距離基準面としても機能する。即ち、筐体８の下面を下にして水平面Ｇ上に設置されることにより、筐体８の前面に設けられた投射窓１０から設置面である水平面Ｇまでの距離が一義的に決定される。このとき、距離基準面としての筐体８の下面と、投射画像Ｐが投射される投影面としての水平面Ｇとは互いに平行になっている。このようにして、プロジェクタ２による画像の投射距離が一義的に決定されることにより、投射ユニット２８内の光学部材は、当該投射距離だけ離れた位置において投射方向に対して略水平方向が長辺、略垂直方向が短辺である矩形形状となる投射領域において投射画像Ｐが鮮明に結像できるように投射ユニット２８内において所定の位置にあらかじめ固定されている。
【００１６】
また、画像の投射中にリモコン６の投射画像切替ボタン２６が操作され、リモコン６から送信された投射画像の切替指示を受信した場合には、操作者方向判定部５４は受信部１４Ｌ，１４Ｒのうち、何れの受信部で受信したかを判定する。そして、操作者方向判定部５４の判定結果に応じて表示方向設定部５２は表示方向を設定し、記憶部４６から次に投射する画像を読み出し、設定された表示方向でＬＣＯＳ３６に画像データを表示する。従って、受信部１４Ｌで受信した場合には図４に示すＬ方向から視やすい画像の投射が行われ、受信部１４Ｒで受信した場合にはＲ方向から視やすい画像の投射が行われる。
【００１７】
また、画像の投射中にリモコン６の表示方向切替ボタン２４が操作され、リモコン６から送信された表示方向の切替指示を受信した場合には、受信部１４Ｌ，１４Ｒの何れで受信したかに関わらず、表示制御部５８はＬＣＯＳ３６に表示している画像を１８０°回転する。従って、例えば、図４に示すように投射されている画像Ｐは１８０°回転し、図５に示すようにＲ方向から視やすい画像となる。
【００１８】
本実施の形態に係るプロジェクタによれば、優れた操作性を有し、プロジェクタがユーザに対して左右の何れに位置してもユーザの意向に応じて見やすい画像を投射することができる。
【００１９】
次に、図面を参照して本発明の第２の実施の形態に係るプロジェクタについて説明する。なお、この第２の実施の形態に係るプロジェクタの構成は、第１の実施の形態に係るリモコンに備えられた機能をプロジェクタの内部に備えたものである。従って、第１の実施の形態と同一の構成についての詳細な説明は省略し、異なる部分のみについて詳細に説明する。また、第１の実施の形態と同一の構成には同一の符号を付して説明する。
【００２０】
図６は、第２の実施の形態に係るプロジェクタの前面を示す斜視図である。プロジェクタ６０は金属やプラスチックからなる筐体８を備え、筐体８の前面には、投射ユニット２８（図２参照）の投射窓１０が設けられている。また、筐体８の上面には電源ボタン１２が設けられ、右面には、投射開始ボタン２０Ｒ、投射終了ボタン２２Ｒ、表示方向切替ボタン２４Ｒ、投射画像切替ボタン２６Ｒが設けられている。また、筐体８の左面には投射開始ボタン２０Ｌ、投射終了ボタン２２Ｌ、表示方向切替ボタン２４Ｌ、投射画像切替ボタン２６Ｌが設けられている。
【００２１】
図７は、第２の実施の形態に係るプロジェクタのシステム構成を示すブロック図である。プロジェクタ６０はＣＰＵ４２を備え、ＣＰＵ４２には、左面側操作部６２Ｌ、右面側操作部６２Ｒ、記憶部４６、投射部４８、画像処理部５０、表示方向設定部５２、操作者方向判定部５４が接続されている。
【００２２】
ここで、投射部４８は、ＬＥＤ３２、電源制御部５６、ＬＣＯＳ３６、表示制御部５８を備え、左面側操作部６２Ｌは投射開始ボタン２０Ｌ、投射終了ボタン２２Ｌ、表示方向切替ボタン２４Ｌ、投射画像切替ボタン２６Ｌを備え、右面側操作部６２Ｒは投射開始ボタン２０Ｒ、投射終了ボタン２２Ｒ、表示方向切替ボタン２４Ｒ、投射画像切替ボタン２６Ｒを備えている。また、操作者方向判定部５４は、左面側操作部６２Ｌ、右面側操作部６２Ｒの何れで入力が行われたかを判定する。
【００２３】
図８は、第２の実施の形態に係るプロジェクタの画像の投射を示す図である。左面側操作部６２Ｌまたは右面側操作部６２Ｒにより投射開始の指示が行われると、操作者方向判定部５４は、左面側操作部６２Ｌ、右面側操作部６２Ｒのうち、何れの操作部で入力が行われたかを判定する。例えば、操作者方向判定部５４により左面側操作部６２Ｌを構成する投射開始ボタン２０Ｌにおいて入力が行われたと判定した場合には、この判定結果に基づいて表示方向設定部５２において表示方向を設定する。ＣＰＵ４２は、記憶部４６から投射する画像の画像データとして、横長の画像である画像Ｐの画像データを読み出して設定された表示方向に応じてＬＣＯＳ３６に画像を表示する。従って、筐体８の前面に設けられた投射窓１０から水平面Ｇに投射された画像Ｐは、図８に示すようにＬ方向から視やすいものとなる。
【００２４】
一方、操作者方向判定部５４により右面側操作部６２Ｒを構成する投射開始ボタン２０Ｒにおいて入力が行われたと判定した場合には、この判定結果に基づいて表示方向設定部５２において表示方向を設定し、設定された表示方向に応じて記憶部４６から読み出した画像をＬＣＯＳ３０に表示する。従って、この場合に水平面Ｇに投射された画像はＲ方向から視やすいものとなる。
【００２５】
また、画像の投射中に投射画像切替ボタン２６Ｌまたは２６Ｒが操作され、投射している画像の切替指示が行われた場合には、操作者方向判定部５４は投射画像切替ボタン２６Ｌ，２６Ｒのうち、何れで入力が行われたかを判定する。そして、この判定結果に応じて表示方向設定部５２は表示方向を設定し、記憶部４６から次に投射する画像を読み出し、設定された表示方向でＬＣＯＳ３６に画像データを表示する。従って、投射画像切替ボタン２６Ｌにおいて投射画像の切替指示が入力された場合には図８に示すＬ方向から視やすい画像の投射が行われ、投射画像切替ボタン２６Ｒにおいて投射画像の切替指示が入力された場合にはＲ方向から視やすい画像の投射が行われる。
【００２６】
また、画像の投射中において表示方向切替ボタン２４Ｌまたは２４Ｒが操作された場合には、表示方向切替ボタン２４Ｌ，２４Ｒの何れで入力が行われたかに関わらず、表示制御部５８はＬＣＯＳ３６に表示している画像を１８０°回転する。
【００２７】
なお、本実施の形態に係るプロジェクタにおいては電源ボタンを筐体の上面に備える構成としたが、電源ボタンを筐体の左面及び右面に備える構成としてもよい。
【００２８】
次に、図面を参照して本発明の第３の実施の形態に係るプロジェクタについて説明する。この第３の実施の形態に係るプロジェクタの構成は、第１の実施の形態に係るリモコンの機能をプロジェクタ内部に備え、更に設置センサを付加したものである。従って、第１の実施の形態と同一の構成についての詳細な説明は省略し、異なる部分のみについて詳細に説明する。また、第１の実施の形態と同一の構成には同一の符号を付して説明する。
【００２９】
図９は、第３の実施の形態に係るプロジェクタの前面を示す斜視図である。プロジェクタ６４は金属やプラスチックからなる筐体８を備え、筐体８の前面には、投射ユニット２８（図２参照）の投射窓１０が設けられている。また、筐体８の上面には電源ボタン１２投射開始ボタン２０、投射終了ボタン２２、表示方向切替ボタン２４、投射画像切替ボタン２６が設けられ、筐体８の下面には設置面への接触を検出する設置センサ６６Ｌ，６６Ｒが設けられている。
【００３０】
図１０は、第３の実施の形態に係るプロジェクタのシステム構成を示すブロック図である。プロジェクタ６４はＣＰＵ４２を備え、ＣＰＵ４２には、操作部６８、記憶部４６、投射部４８、画像処理部５０、表示方向設定部５２、操作者方向判定部５４、設置センサ６６Ｌ，６６Ｒ、設置センサ６６Ｌ，６６Ｒが設置面へ接触する順序を検出する設置順検出部７０が接続されている。
【００３１】
ここで、操作部６８は投射開始ボタン２０、投射終了ボタン２２、表示方向切替ボタン２４、投射画像切替ボタン２６を備えている。
【００３２】
プロジェクタ６４は、図１１に示すように設置センサ６６Ｌが水平面Ｇに接し、その後矢印で示すように設置センサ６６Ｒが水平面Ｇに接触する場合と、図１２に示すように設置センサ６６Ｌが水平面Ｇに接し、その後矢印で示すように設置センサ６６Ｒが水平面Ｇに接触する場合とがある。図１１の場合、操作者が筐体８の前面から見て左側に位置することが多く、図１２の場合、操作者が筐体８の前面から見て右側に位置することが多いため、この推定結果を用いて操作者方向判定部５４は操作者方向の判定を行う。即ち、操作者方向判定部５４は、設置センサ６６Ｌ，６６Ｒが設置面へ接触する順序を検出することで操作者の位置を推定し、その推定結果を用いた判定を行う。
【００３３】
図１１に示すように設置した場合には、操作者方向判定部５４は設置センサが６６Ｌ、６６Ｒの順序で水平面Ｇに設置したことを検出し、投射開始ボタン２０により投射開始指示が行われると、操作者方向判定部５４における判定結果に基づいて表示方向設定部５２は表示方向を設定する。ＣＰＵ４２は記憶部４６から投射する画像Ｐの画像データを読み出して設定された表示方向に応じてＬＣＯＳ３６に表示する。従って、筐体８の前面に設けられた投射窓１０から水平面Ｇ上に投射された投射画像Ｐは、図１３に示すようにＬ方向から視やすいものとなる。図１２に示す順序で設置した場合には、設置センサ６６Ｒ、６６Ｌの順序で水平面Ｇに設置したことを検出し、投射開始ボタン２０により投射開始指示が行われると、操作者方向判定部５４の検出結果に基づいて表示方向設定部５２は表示方向を設定し、ＣＰＵ４２は記憶部４６から読み出した画像データを設定された表示方向に応じてＬＣＯＳ３６に表示する。従って投射窓１０から水平面Ｇ上に投射された投射画像はＲ方向から視やすいものとなる。
【００３４】
なお、上述の各実施の形態において、操作を行うユーザ、即ち操作者が位置する方向を検出し、操作者が視やすい表示方向で画像を投射する構成としたが、操作者が位置する方向に対向する方向から視やすい表示方向で画像を投射するようにあらかじめ設定してもよい。この場合には、プレゼンテーション等でプロジェクタを使用することが多いユーザにとって利便性がよくなる。
【００３５】
また、投射する画像データのファイルの種類によって操作者が視やすい表示方向で投射するか否かを判定するようにしてもよい。この場合には、例えば、投射する画像のデータが写真等のファイルである場合には操作者自身が視るものと判定し、表示方向設定部５２により判定結果に応じた表示方向を設定し、設定された表示方向に応じてＬＣＯＳ３６に表示する。従って、投射された画像は操作者が視やすいものとなる。また、プレゼンテーション用のファイルである場合には操作者に対向する方向に位置する相手に視せるものと判定し、表示方向設定部５２により判定結果に応じた表示方向を設定し、設定された表示方向に応じてＬＣＯＳ３６に表示する。従って、投射された画像は相手側において視やすいものとなる。
【００３６】
また、上述の各実施の形態においては、曲面ミラーから構成されるミラー４０により投影面に投射される画像に対して台形補正を施す構成としたが、平面ミラーを用いてもよい。この場合には、画像処理部５０により投射される画像の画像データに対して投射画像が投影面である水平面Ｇ上で矩形となるように台形補正を行う。
【図面の簡単な説明】
【００３７】
【図１】本発明の第１の実施の形態に係るプロジェクタの前面及びリモコンを示す斜視図である。
【図２】本発明の第１の実施の形態に係る投射ユニットの構成を示す図である。
【図３】本発明の第１の実施の形態に係るプロジェクタのシステム構成を示すブロック図である。
【図４】本発明の第１の実施の形態に係るプロジェクタの画像の投射を示す図である。
【図５】本発明の第１の実施の形態に係るプロジェクタの画像の投射を示す図である。
【図６】本発明の第２の実施の形態に係るプロジェクタの前面を示す斜視図である。
【図７】本発明の第２の実施の形態に係るプロジェクタのシステム構成を示すブロック図である。
【図８】本発明の第２の実施の形態に係るプロジェクタの画像の投射を示す図である。
【図９】本発明の第３の実施の形態に係るプロジェクタの前面を示す斜視図である。
【図１０】本発明の第３の実施の形態に係るプロジェクタのシステム構成を示すブロック図である。
【図１１】本発明の第３の実施の形態に係るプロジェクタの設置順を示す図である。
【図１２】本発明の第３の実施の形態に係るプロジェクタの設置順を示す図である。
【図１３】本発明の第３の実施の形態に係るプロジェクタの画像の投射を示す図である。
【符号の説明】
【００３８】
２…プロジェクタ、６…リモコン、８…筐体、１０…投射窓、１４Ｌ，１４Ｒ…受信部、２８…投射ユニット、３２…ＬＥＤ、３６……ＬＣＯＳ、４０…ミラー、４２…ＣＰＵ、４８・・・投射部、５０…画像処理部、５２…表示方向設定部、５４…操作者方向判定部、５８…表示制御部。
【図１】
2010122586.tif 000003
【図２】
2010122586.tif 000004
【図３】
2010122586.tif 000005
【図４】
2010122586.tif 000006
【図５】
2010122586.tif 000007
【図６】
2010122586.tif 000008
【図７】
2010122586.tif 000009
【図８】
2010122586.tif 000010
【図９】
2010122586.tif 000011
【図１０】
2010122586.tif 000012
【図１１】
2010122586.tif 000013
【図１２】
2010122586.tif 000014
【図１３】
2010122586.tif 000015